(57)【要約】【課題】通信コンテンツおよび放送コンテンツの送信元をユーザに認識させる。【解決手段】表示装置１は、表示対象のコンテンツがＷＥＢコンテンツであるか抽出コンテンツであるかを判断する送信元判断部１２と、表示対象のコンテンツがＷＥＢコンテンツであると判断されたときにはＵＲＬを表示し、抽出コンテンツであると判断されたときには放送属性情報を表示する表示制御部１５とを備えている。【選択図】図１
2013207405.tif 000002
【特許請求の範囲】
【請求項１】
アドレスを用いたアクセスにより通信ネットワークから取得された通信コンテンツと、放送ネットワークを介して送信される放送コンテンツに付随する付随コンテンツとを表示させる表示制御装置であって、
表示対象のコンテンツが、上記通信コンテンツであるか、上記付随コンテンツであるかを判断する判断手段と、
上記判断手段が、表示対象のコンテンツが通信コンテンツであると判断しているときには、上記アドレスを表示させ、上記判断手段が、表示対象のコンテンツが付随コンテンツであると判断しているときには、上記放送コンテンツに関連する放送関連情報を表示させる送信元表示手段とを備えていることを特徴とする表示制御装置。
【請求項２】
上記付随コンテンツと上記放送関連情報とを、他の通信装置から受信する付随コンテンツ受信手段を備え、
上記判断手段は、表示対象のコンテンツが、上記通信コンテンツであるか、上記付随コンテンツ受信手段が受信した上記付随コンテンツであるかを判断し、
上記送信元表示手段は、上記判断手段が、表示対象のコンテンツが通信コンテンツであると判断しているときには、上記アドレスを表示させ、上記判断手段が、表示対象のコンテンツが付随コンテンツであると判断しているときには、上記付随コンテンツ受信手段が受信した上記放送関連情報を表示させることを特徴とする請求項１に記載の表示制御装置。
【請求項３】
ユーザ操作を受け付ける入力部を備え、
上記送信元表示手段は、上記入力部がコンテンツの送信元を表示させるユーザ操作を受け付けたときに、上記判断手段が、表示対象のコンテンツが通信コンテンツであると判断した場合には上記アドレスを表示させ、上記判断手段が、表示対象のコンテンツが付随コンテンツであると判断した場合には上記放送関連情報を表示させることを特徴とする請求項１または２に記載の表示制御装置。
【請求項４】
ユーザ操作を受け付ける入力部を備え、
上記送信元表示手段は、上記入力部がコンテンツを表示させるユーザ操作を受け付けたときに、上記判断手段が、表示対象のコンテンツが通信コンテンツであると判断した場合には上記アドレスを表示させ、上記入力部がコンテンツの送信元を表示させるユーザ操作を受け付けたときに、上記判断手段が、表示対象のコンテンツが付随コンテンツであると判断した場合には、上記放送関連情報を表示させることを特徴とする請求項１または２に記載の表示制御装置。
【請求項５】
上記送信元表示手段は、上記判断手段が通信コンテンツと判断したコンテンツと、上記判断手段が付随コンテンツと判断したコンテンツとを同時に表示させているときに、上記通信コンテンツと共に上記アドレスを表示させ、上記付随コンテンツと共に上記放送関連情報を表示させることを特徴とする請求項１から４の何れか１項に記載の表示制御装置。
【請求項６】
上記送信元表示手段は、上記判断手段が通信コンテンツと判断したコンテンツと、上記判断手段が付随コンテンツと判断したコンテンツとを同時に表示させているときに、上記通信コンテンツが優先表示されている場合には上記アドレスを表示させ、上記付随コンテンツが優先表示されている場合には上記放送関連情報を表示させることを特徴とする請求項１から５の何れか１項に記載の表示制御装置。
【請求項７】
放送コンテンツを録画する際に、該放送コンテンツに付随する付随コンテンツを記録すると共に、当該記録の日時を記録する記録手段を備え、
上記送信元表示手段は、録画された上記放送コンテンツの再生中に表示されたコンテンツを、上記判断手段が付随コンテンツであると判断した場合に、上記放送関連情報と共に、上記記録手段が記録した日時を表示させることを特徴とする請求項１から６の何れか１項に記載の表示制御装置。
【請求項８】
アドレスを用いたアクセスにより通信ネットワークから取得された通信コンテンツと、放送ネットワークを介して送信される放送コンテンツに付随する付随コンテンツとを表示させる表示制御装置による表示制御方法であって、
表示対象のコンテンツが、上記通信コンテンツであるか、上記付随コンテンツであるかを判断する判断ステップと、
上記判断ステップにて、表示対象のコンテンツが通信コンテンツであると判断しているときには、上記アドレスを表示させ、上記判断ステップにて、表示対象のコンテンツが付随コンテンツであると判断しているときには、上記放送コンテンツに関連する放送関連情報を表示させる送信元表示ステップとを含むことを特徴とする表示制御方法。
【請求項９】
請求項１から７の何れか１項に記載の表示制御装置を動作させるための制御プログラムであって、コンピュータを上記各手段として機能させるための制御プログラム。
【請求項１０】
請求項９に記載の制御プログラムを記録したコンピュータ読み取り可能な記録媒体。
【請求項１１】
請求項１から７の何れか１項に記載の表示制御装置を備えたテレビジョン受像機。
【発明の詳細な説明】
【技術分野】
【０００１】
本発明は、通信ネットワークから取得したコンテンツと、放送ネットワークから取得したコンテンツとをユーザに提示する技術に関する。
【背景技術】
【０００２】
近年、様々な電子機器に通信ネットワークとの接続機能を搭載し、その機能を拡張することが広く行われている。例えば、インターネット接続機能を搭載し、デジタル放送のみならず、インターネット上のコンテンツについても閲覧できるようにしたテレビジョン受像機等も市販されている。
【０００３】
また、デジタル放送では、放送コンテンツのストリームデータと共に、データ放送コンテンツが送信されており、デジタル放送対応のテレビジョン受像機では、テレビ番組を視聴することができると共に、データ放送コンテンツを視聴することも可能になっている。
【０００４】
このように、複数のデータソースからコンテンツを取得して表示することのできる装置が普及しつつある。
【０００５】
ここで、このように多様なデータソースから取得したコンテンツを表示する場合、表示されたコンテンツ自体からはそのデータソースを判別することができないことも想定される。
【０００６】
例えば、インターネット上のコンテンツと、データ放送のコンテンツとを、同一のブラウザで閲覧する場合、表示されたブラウザ画面に含まれる情報のみでは、インターネット上のコンテンツが表示されているのか、データ放送のコンテンツが表示されているのか判断することができないこともある。
【０００７】
このような判断を可能にする１つの方法として、インターネット上のコンテンツについては、そのコンテンツへのアクセスに使用したＵＲＬ（Uniform Resource Locator）を表示させることが挙げられる（例えば下記特許文献１を参照）。
【先行技術文献】
【特許文献】
【０００８】
【特許文献１】特開２０１１−１１４６７４号公報（２０１１年６月９日公開）
【発明の概要】
【発明が解決しようとする課題】
【０００９】
しかしながら、データ放送コンテンツを表示させているときに、そのＵＲＬを表示しても、ユーザはそのＵＲＬを元にそのコンテンツの送信元（提供元、ソース）を認識することは困難である。データ放送コンテンツのＵＲＬは、データ放送の受信機内部に一時的に保存されたファイルを参照するために、コンテンツを表示するプログラムによって便宜的に使用される値であり、インターネットのような通信ネットワーク上のアドレスを示すものではないためである。
【００１０】
これは、データ放送コンテンツと、インターネット上のコンテンツとを表示させる場合に限られず、通信ネットワークから取得したコンテンツと、放送ネットワークから取得したコンテンツとの送信元を表示させる場合に共通して生じる問題である。
【００１１】
本発明は、上記の問題点に鑑みてなされたものであり、その目的は、通信ネットワークから取得したコンテンツの送信元と、放送ネットワークから取得したコンテンツの送信元とを表示させる場合に、ユーザに各コンテンツの送信元を容易に認識させることのできる表示制御装置等を提供することにある。
【課題を解決するための手段】
【００１２】
上記の課題を解決するために、本発明の表示制御装置は、アドレスを用いたアクセスにより通信ネットワークから取得された通信コンテンツと、放送ネットワークを介して送信される放送コンテンツに付随する付随コンテンツとを表示させる表示制御装置であって、表示対象のコンテンツが、上記通信コンテンツであるか、上記付随コンテンツであるかを判断する判断手段と、上記判断手段が、表示対象のコンテンツが通信コンテンツであると判断しているときには、上記アドレスを表示させ、上記判断手段が、表示対象のコンテンツが付随コンテンツであると判断しているときには、上記放送コンテンツに関連する放送関連情報を表示させる送信元表示手段とを備えていることを特徴としている。
【００１３】
アドレスを用いたアクセスにより通信ネットワークから取得された通信コンテンツと、放送コンテンツに付随する付随コンテンツとを表示させる表示制御装置による表示制御方法であって、表示対象のコンテンツが、上記通信コンテンツであるか、上記付随コンテンツであるかを判断する判断ステップと、上記判断ステップにて、表示対象のコンテンツが通信コンテンツであると判断しているときには、上記アドレスを表示させ、上記判断ステップにて、表示対象のコンテンツが付随コンテンツであると判断しているときには、上記放送コンテンツに関連する放送関連情報を表示させる送信元表示ステップとを含むことを特徴としている。
【００１４】
上記の構成によれば、表示対象のコンテンツが、通信コンテンツであるか、付随コンテンツであるかを判断し、通信コンテンツであると判断しているときには、該通信コンテンツの取得に使用されたアドレスを表示させる。したがって、この場合には、表示されたアドレスによって、この通信コンテンツの送信元（提供元）をユーザに認識させることができる。
【００１５】
また、上記の構成によれば、表示対象のコンテンツが付随コンテンツであると判断しているときには、該付随コンテンツの取得元の放送コンテンツに関連する放送関連情報を表示させる。したがって、この場合には、表示された放送関連情報によって、この付随コンテンツの送信元（提供元）が、特定の放送コンテンツであることをユーザに認識させることができる。
【００１６】
これにより、たとえ通信コンテンツおよび付随コンテンツが同一仕様に基づくものであり、単一のブラウザプログラムによってコンテンツを表示する場合であっても、コンテンツの送信元（提供元）をユーザに容易に識別させ、認識させることができる。
【００１７】
なお、表示対象のコンテンツが、通信コンテンツであるか付随コンテンツであるかの判断は、例えば、通信コンテンツと付随コンテンツとを識別するための識別情報を参照すること等によって行えばよい。例えば、付随コンテンツを放送コンテンツのストリームデータから取得したときに、取得したコンテンツが付随コンテンツであることを示すフラグ等を上記識別情報として記録しておいてもよい。この場合、フラグが記録されているか否かによって上記の判断を行うことができる。
【００１８】
また、放送関連情報は、放送コンテンツに関連する情報であればよく、例えばチャンネル番号、チャンネル名（放送局名）、番組名等であってもよい。このような情報であれば、一般的なデジタル放送において、放送コンテンツのストリームデータと共に送信されて
いるので容易に取得することができる。
【００１９】
なお、上記表示制御装置は、表示装置を備えていてもよいし、備えていなくてもよい。表示装置を備えている場合には、この表示装置に表示させればよく、表示装置を備えていない場合には、外部の表示装置に表示するデータを出力して表示させればよい。
【００２０】
また、上記表示制御装置は、上記付随コンテンツと上記放送関連情報とを、他の通信装置から受信する付随コンテンツ受信手段を備え、上記判断手段は、表示対象のコンテンツが、上記通信コンテンツであるか、上記付随コンテンツ受信手段が受信した上記付随コンテンツであるかを判断し、上記送信元表示手段は、上記判断手段が、表示対象のコンテンツが通信コンテンツであると判断しているときには、上記アドレスを表示させ、上記判断手段が、表示対象のコンテンツが付随コンテンツであると判断しているときには、上記付随コンテンツ受信手段が受信した上記放送関連情報を表示させることが好ましい。
【００２１】
上記の構成によれば、付随コンテンツと放送関連情報とを、他の通信装置から受信するので、表示制御装置が放送コンテンツの受信機能を備えていなくとも、付随コンテンツを表示させることができる。
【００２２】
そして、表示対象のコンテンツが、上記付随コンテンツ受信手段が受信した付随コンテンツであると判断しているときには、上記放送付随コンテンツ受信手段が受信した放送関連情報を表示させる。
【００２３】
したがって、上記の構成によれば、表示された放送関連情報によって、この付随コンテンツの送信元（提供元）が、特定の放送コンテンツであることをユーザに認識させることができる。また、放送コンテンツを他の通信装置で表示すると同時に、付随コンテンツを上記表示制御装置で表示すること、つまり、放送コンテンツと付随コンテンツとを異なる装置で表示させることも可能となる。
【００２４】
また、上記表示制御装置は、ユーザ操作を受け付ける入力部を備え、上記送信元表示手段は、上記入力部がコンテンツの送信元を表示させるユーザ操作を受け付けたときに、上記判断手段が、表示対象のコンテンツが通信コンテンツであると判断した場合には上記アドレスを表示させ、上記判断手段が、表示対象のコンテンツが付随コンテンツであると判断した場合には上記放送関連情報を表示させることが好ましい。
【００２５】
上記の構成によれば、コンテンツの送信元を表示させるユーザ操作を受け付けたときに、表示対象のコンテンツが通信コンテンツであると判断した場合には、上記アドレスを表示させる。また、表示対象のコンテンツが付随コンテンツであると判断した場合には、上記放送関連情報を表示させる。
【００２６】
したがって、ユーザは、コンテンツの送信元を表示させる操作を行うだけで、そのときに表示されているコンテンツに応じた情報、すなわち通信コンテンツの取得に使用されたアドレス、または放送コンテンツに関連する放送関連情報を確認することができる。そして、付随コンテンツに使用されるＵＲＬのような、ユーザが見てもそのコンテンツの送信元を容易に認識することのできない情報が提示されることもない。
【００２７】
また、上記表示制御装置は、ユーザ操作を受け付ける入力部を備え、上記送信元表示手段は、上記入力部がコンテンツを表示させるユーザ操作を受け付けたときに、上記判断手段が、表示対象のコンテンツが通信コンテンツであると判断した場合には上記アドレスを表示させ、上記入力部がコンテンツの送信元を表示させるユーザ操作を受け付けたときに、上記判断手段が、表示対象のコンテンツが付随コンテンツであると判断した場合には、
放送関連情報を表示させることが好ましい。
【００２８】
上記の構成によれば、コンテンツを表示させるユーザ操作を受け付けたときに、表示対象のコンテンツが通信コンテンツであると判断した場合には、アドレスを表示させる。つまり、通信コンテンツを表示させるタイミングでアドレスを表示させる。
【００２９】
また、上記の構成によれば、コンテンツの送信元を表示させるユーザ操作を受け付けたときに、表示対象のコンテンツが付随コンテンツであると判断した場合には、放送関連情報を表示させる。つまり、放送関連情報は、コンテンツの送信元を表示させるユーザ操作が行われたタイミングで表示させる。
【００３０】
したがって、通信コンテンツについては、表示直後からアドレスをユーザに認識させることができる。また、付随コンテンツについては、コンテンツの送信元を表示させるユーザ操作をトリガとして放送関連情報をユーザに認識させることができる。
【００３１】
また、上記送信元表示手段は、上記判断手段が通信コンテンツと判断したコンテンツと、上記判断手段が付随コンテンツと判断したコンテンツとを同時に表示させているときに、上記通信コンテンツと共に上記アドレスを表示させ、上記付随コンテンツと共に上記放送関連情報を表示させることが好ましい。
【００３２】
上記の構成によれば、通信コンテンツと判断したコンテンツと、付随コンテンツと判断したコンテンツとを同時に表示させているときに、通信コンテンツと共にアドレスを表示させる。また、付随コンテンツと共に放送関連情報を表示させる。
【００３３】
したがって、通信コンテンツと付随コンテンツとをユーザに同時に確認させることができると共に、各コンテンツの送信元（提供元）をユーザに認識させることができる。
【００３４】
なお、通信コンテンツと付随コンテンツとの同時表示の態様は特に限定されず、例えばテレビジョン受像機の２画面表示のように、１つの画面内に設定された複数の表示領域のそれぞれに通信コンテンツと付随コンテンツとを表示させてもよい。また、例えば、パーソナルコンピュータのマルチウィンドウ表示のように、通信コンテンツのウィンドウと、付随コンテンツのウィンドウとを表示させてもよい。
【００３５】
また、上記送信元表示手段は、上記判断手段が通信コンテンツと判断したコンテンツと、上記判断手段が付随コンテンツと判断したコンテンツとを同時に表示させているときに、上記通信コンテンツが優先表示されている場合には上記アドレスを表示させ、上記付随コンテンツが優先表示されている場合には上記放送関連情報を表示させることが好ましい。
【００３６】
上記の構成によれば、通信コンテンツと判断したコンテンツと、付随コンテンツと判断したコンテンツとを同時に表示させているときに、上記通信コンテンツが優先表示されている場合には、アドレスを表示させる。また、上記付随コンテンツが優先表示されている場合には、放送関連情報を表示させる。
【００３７】
したがって、通信コンテンツと付随コンテンツとをユーザに同時に確認させることができると共に、各コンテンツの送信元（提供元）をユーザに認識させることができる。
【００３８】
なお、優先表示とは、他方のコンテンツよりもユーザの注目を惹くような表示状態や、リモコン等による入力部からの制御の対象となる状態であることを指し、例えば他方のコンテンツよりも大きく表示する、手前に表示する、音声出力の対象とする、優先されてい
ることを示すマーキング（枠囲みやアイコンの付加表示等）を表示する等がこれに該当する。また、マルチウィンドウ形式で表示している場合には、ユーザの選択状態にあるウィンドウ（アクティブなウィンドウ）に表示されたコンテンツが優先表示されたコンテンツとなる。
【００３９】
また、上記表示制御装置は、放送コンテンツを録画する際に、該放送コンテンツに付随する付随コンテンツを記録すると共に、当該記録の日時を記録する記録手段を備え、上記送信元表示手段は、録画された上記放送コンテンツの再生中に表示されたコンテンツを、上記判断手段が付随コンテンツであると判断した場合に、上記放送関連情報と共に、上記記録手段が記録した日時を表示させることが好ましい。
【００４０】
上記の構成によれば、放送コンテンツを録画する際に、該放送コンテンツに付随する付随コンテンツを記録すると共に、当該記録の日時を記録する。そして、録画された放送コンテンツの再生中に表示されたコンテンツを付随コンテンツであると判断した場合に、放送関連情報と共に、この付随コンテンツの記録日時を表示させる。
【００４１】
したがって、表示した放送関連情報によって、この付随コンテンツの送信元（提供元）が、特定の放送コンテンツであることをユーザに認識させることができると共に、このコンテンツの記録日時を認識させることができる。
【００４２】
なお、上記表示制御装置は、コンピュータによって実現してもよく、この場合には、コンピュータを上記表示制御装置の各手段として動作させることにより、上記表示制御装置をコンピュータにて実現させる制御プログラム、およびそれを記録したコンピュータ読み取り可能な記録媒体も本発明の範疇に入る。そして、上記表示制御装置を備えたテレビジョン受像機であれば、上記表示制御装置と同様の作用効果を奏する。
【発明の効果】
【００４３】
以上のように、本発明の表示制御装置は、表示対象のコンテンツが、上記通信コンテンツであるか、上記付随コンテンツであるかを判断する判断手段と、上記判断手段が、表示対象のコンテンツが通信コンテンツであると判断しているときには、上記アドレスを表示させ、上記判断手段が、表示対象のコンテンツが付随コンテンツであると判断しているときには、上記放送コンテンツに関連する放送関連情報を表示させる送信元表示手段とを備えている構成である。
【００４４】
また、本発明の表示制御方法は、以上のように、表示対象のコンテンツが、上記通信コンテンツであるか、上記付随コンテンツであるかを判断する判断ステップと、上記判断ステップにて、表示対象のコンテンツが通信コンテンツであると判断しているときには、上記アドレスを表示させ、上記判断ステップにて、表示対象のコンテンツが付随コンテンツであると判断しているときには、上記放送コンテンツに関連する放送関連情報を表示させる送信元表示ステップとを含む構成である。
【００４５】
上記の構成によれば、表示対象のコンテンツが、通信コンテンツであると判断しているときには、該通信コンテンツの取得に使用されたアドレスを表示させる。したがって、この場合には、表示されたアドレスによって、この通信コンテンツの送信元（提供元）をユーザに認識させることができる。
【００４６】
また、上記の構成によれば、表示対象のコンテンツが付随コンテンツであると判断しているときには、該付随コンテンツの取得元の放送コンテンツに関連する放送関連情報を表示させる。したがって、この場合には、表示された放送関連情報によって、この付随コンテンツの送信元（提供元）が、特定の放送コンテンツであることをユーザに認識させるこ
とができる。
【００４７】
すなわち、上記の構成によれば、通信ネットワークから取得した通信コンテンツと、放送ネットワークから取得した付随コンテンツとを表示させる場合に、たとえ通信コンテンツ及び付随コンテンツが同一仕様に基づくもので単一のブラウザプログラムによってコンテンツを表示する場合であっても、ユーザに各コンテンツの送信元を容易に識別させ認識させることができる。
【図面の簡単な説明】
【００４８】
【図１】本発明の一実施形態にかかる表示装置の要部構成を示すブロック図である。
【図２】上記表示装置が表示する表示画面の一例を示す図であり、同図（ａ）はＷＥＢコンテンツ用の送信元提示画像を表示させたときの画面例を示し、同図（ｂ）は抽出コンテンツ用の送信元提示画像を表示させたときの画面例を示している。
【図３】ユーザが入力操作を行ったときに上記表示装置が実行する処理の一例を示すフローチャートである。
【図４】上記フローチャートの処理に含まれる送信元表示処理の一例を示すフローチャートである。
【図５】本発明の他の実施形態にかかる表示システムを構成する放送受信装置および表示端末の要部構成の一例を示すブロック図である。
【発明を実施するための形態】
【００４９】
《実施の形態１》
以下、本発明の実施の形態１について、図１〜図４に基づいて詳細に説明する。
【００５０】
〈装置構成〉
まず、本実施形態にかかる表示装置の構成を図１に基づいて説明する。図１は、表示装置（表示制御装置）１の要部構成を示すブロック図である。また、同図では、インターネット上のコンテンツを提供するＷＷＷ（World Wide Web）サーバであるサーバ１００、および放送波を受信するアンテナ２００についても合わせて示している。
【００５１】
表示装置１は、通信ネットワークから取得したコンテンツと、放送ネットワークから取得したコンテンツとを表示可能な装置である。ここでは、上記通信ネットワークがインターネットであり、上記放送ネットワークがデジタル放送のネットワークであり、表示装置１が、これらネットワークからコンテンツを取得可能なテレビジョン受像機である例を説明する。
【００５２】
図示のように、表示装置１は、制御部２、記憶部３、通信部４、放送受信部５、入力部６、および表示部７を備えている。なお、表示装置１は、これら以外にも、音声を出力するブロック等を備えているが、本発明に直接関連しないため、図示を省略している。
【００５３】
制御部２は、表示装置１の動作を統括して制御するものであり、コンテンツ受信部１０、コンテンツ抽出部１１、送信元判断部（判断手段）１２、およびブラウザ１３を含む。また、ブラウザ１３は、送信元表示部（送信元表示手段）１４および表示制御部１５を含む。
【００５４】
コンテンツ受信部１０は、サーバ１００にアクセスしてコンテンツを取得する。具体的には、コンテンツ受信部１０は、通信部４を介してサーバ１００にコンテンツ送信要求を送信し、サーバ１００から送信されるコンテンツを受信して記憶部３に保存する。また、コンテンツ受信部１０は、コンテンツへのアクセスの際に使用したＵＲＬについてもコンテンツと共に保存する。
【００５５】
なお、コンテンツ送信要求は、例えば‘ＧＥＴ’メソッドによって行ってもよい。また、ＵＲＬは、例えばＲＦＣ１７３８「Uniform Resource Locators」に規定されている値を保存すればよい。
【００５６】
コンテンツ抽出部１１は、放送受信部５が受信する放送ストリームからコンテンツおよび放送属性情報を抽出して記憶部３に保存する。なお、以下では放送ストリームから抽出したコンテンツを抽出コンテンツ（付随コンテンツ）と呼ぶ。また、コンテンツ抽出部１１は、保存する抽出コンテンツと共に、そのコンテンツが抽出コンテンツであることを示す抽出コンテンツフラグを記録する。
【００５７】
なお、抽出コンテンツは、デジタル放送の番組（放送コンテンツ）自体ではなく、これに付随する例えばデータ放送のコンテンツである。抽出コンテンツは、例えば、ＩＳＯ／ＩＥＣ １３８１８−６で規定されているＤＳＭ−ＣＣ（Digital Storage Media Command
and Control）データカルーセルによって放送局より伝送されるデータ（実体はＨＴＭＬファイルや画像ファイル等）であってもよい。例えば、日本の地上デジタル放送におけるＢＭＬ（Broadcast Markup Language）形式のコンテンツや、欧州のデジタル放送におけるＨＴＭＬ形式のコンテンツ等がこれに相当する。
【００５８】
また、放送属性情報は、受信中の放送の属性を示す情報であり、例えば、当該放送のチャンネル番号、チャンネル名、番組名、番組開始時刻、番組長等を放送属性情報とすることができる。チャンネル番号としては、ＮＩＴ（ネットワーク情報テーブル）に記述されている当該放送のリモコンキーＩＤの値を用いることができる。また、チャンネル名としては、ＳＤＴ（サービス記述テーブル）に記述されている編成チャンネル名を用いることができる。そして、番組名、番組開始時刻、番組長としては、ＥＩＴ（イベント情報テーブル）に記述されている値を用いることができる。
【００５９】
なお、放送属性情報は、当該放送がどのような放送であるかをユーザがある程度認識できるような情報であればよく、上記の例に限られない。また、例えば、抽出コンテンツのファイル名（ＨＴＭＬファイル等のファイル名）を放送属性情報の一つとして利用してもよい。
【００６０】
送信元判断部１２は、表示部７に表示されているコンテンツの送信元を判断する。具体的には、送信元判断部１２は、表示部７に表示されているコンテンツが、コンテンツ受信部１０が取得したＷＥＢコンテンツ（通信コンテンツ）であるか、コンテンツ抽出部１１が取得した抽出コンテンツであるか判断する。
【００６１】
ブラウザ１３は、ＨＴＭＬ等の形式のコンテンツをユーザに閲覧させるソフトウェアである。ブラウザ１３の主な機能はコンテンツの表示と、表示中のコンテンツの送信元の提示であり、これらの機能は送信元表示部１４および表示制御部１５によって実現される。
【００６２】
送信元表示部１４は、送信元判断部１２の判断結果に応じて、表示中のコンテンツの送信元をユーザに提示するための画像である送信元提示画像を表示させる。具体的には、送信元判断部１２がＷＥＢコンテンツを表示中であると判断した場合には、ＷＥＢコンテンツ用の送信元提示画像を表示部７に表示させる。また、送信元判断部１２が抽出コンテンツを表示中であると判断した場合には、抽出コンテンツ用の送信元提示画像を表示部７に表示させる。
【００６３】
なお、ＷＥＢコンテンツ用の送信元提示画像は、そのコンテンツのＵＲＬ（アドレス）を含む。また、抽出コンテンツ用の送信元提示画像は、抽出元の放送コンテンツに関連す
る放送関連情報（例えばチャンネル番号、チャンネル名、および番組名の何れかまたは複数）を含む。この放送関連情報は、放送属性情報に基づくものであり、例えば、放送属性情報にチャンネル番号およびチャンネル名が含まれている場合には、「ｘｘｘチャンネル
テレビ○○」（ｘｘｘ：チャンネル番号、テレビ○○：チャンネル名）のような文字列を含であってもよい。
【００６４】
このように、表示装置１では、コンテンツの送信元を判断し、その判断結果に応じた送信元提示画像を表示することによって、ユーザがそのコンテンツの送信元を確認することを容易にしている。
【００６５】
表示制御部１５は、記憶部３に保存されたコンテンツ５０（コンテンツ受信部１０が取得したＷＥＢコンテンツ、またはコンテンツ抽出部１１が取得した抽出コンテンツ）を表示部７に表示させる。具体的には、ＷＥＢコンテンツまたは抽出コンテンツのファイルを、例えばＲＦＣ１８６６「Hypertext Markup Language - 2.0」に基づいて解釈して表示させる。
【００６６】
記憶部３は、表示装置１が使用する各種データを格納する記憶装置であり、図示の例では、コンテンツ５０が格納されている。上述のように、コンテンツ５０には、放送ストリームから抽出した抽出コンテンツと、サーバ１００から受信したＷＥＢコンテンツとが含まれる。そして、抽出コンテンツは、放送属性情報および抽出コンテンツフラグと共に記録されており、ＷＥＢコンテンツは、ＵＲＬと共に記録されている。
【００６７】
通信部４は、表示装置１が他の装置と通信するためのものである。ここでは、通信部４は、インターネット経由でサーバ１００と通信することを想定しているので、通信部４は、インターネット上の機器と通信可能なものとする。
【００６８】
放送受信部５は、デジタル放送を受信するものである。デジタル放送は、例えば、ＤＶＢ（Digital Video Broadcasting）規格の放送であってもよいし、ＩＳＤＢ（Integrated
Services Digital Broadcasting）等の規格の放送であってもよい。
【００６９】
入力部６は、表示装置１に対するユーザの入力操作を受け付けるものである。入力部６は、例えば、表示装置１を遠隔操作するリモートコントローラの送信信号を受信する受信部であってもよい。
【００７０】
表示部７は、制御部２の制御に従って画像を表示するものである。なお、表示部７は、表示装置１に外付けされた外部の機器であってもよい。記憶部３、入力部６についても同様である。
【００７１】
〈表示画面例〉
次に、表示装置１の表示画面例を図２に基づいて説明する。図２は、表示装置１が表示する表示画面の一例を示す図である。同図（ａ）はＷＥＢコンテンツ用の送信元提示画像を表示させたときの画面例を示し、同図（ｂ）は抽出コンテンツ用の送信元提示画像を表示させたときの画面例を示している。
【００７２】
図２（ａ）（ｂ）の例では、何れもブラウザ画面が表示されており、このブラウザ画面上に、送信元提示画像がポップアップ表示されている点で共通しており、送信元提示画像の内容が異なっている。
【００７３】
すなわち、ＷＥＢコンテンツを表示中の同図（ａ）の送信元提示画像では、ページの送信元としてＵＲＬ（http://xxx/yyy/zzz.html）が表示されている。これに対して、抽出
コンテンツを表示中の同図（ｂ）の送信元提示画像では、ページの送信元としてチャンネル名（ｘｘｘチャンネル）および放送局名（テレビ○○）が表示されている。
【００７４】
また、同図（ａ）（ｂ）の例の送信元提示画像は、何れも「ＯＫ」の項目を含んでいる。この項目は、送信元提示画像の内容確認を終えたユーザが、送信元提示画像の表示を終了するためのものである。
【００７５】
このように、表示装置１では、送信元に応じた内容の送信元提示画像を表示する。これにより、ユーザは、送信元提示画像を表示させる操作を行ったときに、ＷＥＢコンテンツが表示されていれば、そのＵＲＬを確認することができる。
【００７６】
また、送信元提示画像を表示させる操作を行ったときに、抽出コンテンツが表示されていれば、そのコンテンツの抽出元の放送についての情報が表示されるので、そのコンテンツの送信元を確認することができる。
【００７７】
なお、ＵＲＬまたは放送関連情報は、ユーザがこれを認識できる態様で表示すればよく、図２（ａ）（ｂ）のような送信元提示画像を表示させる態様に限られない。例えば、画面上の所定領域（放送コンテンツやＷＥＢコンテンツに重畳する位置であってもよいし、重畳しない位置であってもよい）にＵＲＬまたは放送関連情報を一時的にもしくは常時表示してもよい。
【００７８】
〈処理の流れ〉
次に、表示装置１が実行する処理の流れを図３に基づいて説明する。図３は、ユーザが入力操作を行ったときに表示装置１が実行する処理の一例を示すフローチャートである。
【００７９】
入力部６は、ユーザ操作を検出すると（Ｓ１）、検出した操作内容を示す信号を制御部２に出力する。これにより、制御部２では、出力された信号の解析が行われ、Ｓ１で検出された操作が放送の受信操作であるか判断される（Ｓ２）。
【００８０】
なお、放送の受信操作とは、例えば表示装置１の電源を入れる、あるいはＷＥＢコンテンツの表示から放送の表示に切り替える操作のように、放送の受信を開始させる操作を指す。また、チャンネル切り替えが行われた場合には、異なるチャンネルへの選局後に放送の受信が開始されるので、チャンネル切り替えも放送の受信操作の一つと判断してもよい。
【００８１】
ここで、放送の受信操作であると判断された場合（Ｓ２でＹＥＳ）、コンテンツ抽出部１１は、放送受信部５の受信している放送ストリームから、デジタル放送の番組（放送コンテンツ）に付随するコンテンツ（抽出コンテンツ）および放送属性情報を取得する（Ｓ３）。
【００８２】
そして、コンテンツ抽出部１１は、取得したコンテンツおよび放送属性情報を記憶部３に保存する（Ｓ４）。また、コンテンツ抽出部１１は、保存した抽出コンテンツと共に、抽出コンテンツフラグを記録する（Ｓ５）。さらに、コンテンツ抽出部１１は、保存した上記抽出コンテンツを表示するよう、表示制御部１５に指示する。
【００８３】
この指示を受信した表示制御部１５は、保存された上記抽出コンテンツを読み出し（Ｓ６）、解析する（Ｓ７）。そして、この解析の結果に基づく画像を表示部７に表示させ（Ｓ８）、処理を終了する。なお、上記抽出コンテンツについては、入力部６がユーザによる表示指示を受信した後で表示するように制御してもよい。
【００８４】
一方、Ｓ２において、放送の受信操作ではないと判断された場合（Ｓ２でＮＯ）、サーバ１００からのコンテンツ受信操作であるかが判断される（Ｓ９）。なお、サーバ１００からのコンテンツ受信操作とは、ＷＥＢコンテンツの受信を開始させるための操作であり、例えば放送の表示からＷＥＢコンテンツの表示に切り替える操作や、ＷＥＢコンテンツへのリンクを選択する操作がこれに該当する。
【００８５】
ここで、サーバ１００からの受信操作であると判断された場合（Ｓ９でＹＥＳ）、コンテンツ受信部１０は、サーバ１００に要求を送信してコンテンツ（ＷＥＢコンテンツ）を取得する（Ｓ１０）。そして、コンテンツ受信部１０は、取得したＷＥＢコンテンツと、そのＵＲＬとを記憶部３に保存し（Ｓ１１）、保存した該ＷＥＢコンテンツを表示するよう、表示制御部１５に指示する。この後、上述のＳ６〜Ｓ８の処理が行われ、ＷＥＢコンテンツが表示されて処理が終了する。
【００８６】
また、Ｓ９において、サーバ１００からの受信操作ではないと判断された場合（Ｓ９でＮＯ）、送信元の表示操作が行われたかが判断される（Ｓ１２）。なお、送信元の表示操作とは、送信元提示画像を表示させるトリガとなる操作であり、例えばリモートコントローラの所定のボタンを押す操作や、メニュー画面から送信元提示画像を表示させるための項目を選択する操作等であってもよい。
【００８７】
ここで、送信元の表示操作が行われていないと判断された場合（Ｓ１２でＮＯ）、ユーザ操作に応じた他の処理（図示せず）が行われ、処理が終了する。
【００８８】
一方、送信元の表示操作が行われたと判断された場合（Ｓ１２でＹＥＳ）、送信元判断部１２およびブラウザ１３によって、送信元表示処理が行われ（Ｓ１３）、表示中のコンテンツに応じた送信元提示画像が表示されて処理が終了する。なお、送信元表示処理については、以下で説明する。
【００８９】
〈送信元表示処理〉
続いて、図３のＳ１３で行われる送信元表示処理（表示制御方法）について、図４に基づいて説明する。図４は、送信元表示処理の一例を示すフローチャートである。
【００９０】
まず、送信元判断部１２は、記憶部３のコンテンツ５０を参照して、表示中のコンテンツに抽出コンテンツフラグが対応付けて記録されているか判断する（Ｓ２０）。つまり、Ｓ２０は、抽出コンテンツフラグを参照して、表示対象のコンテンツがＷＥＢコンテンツであるか抽出コンテンツであるかを判断する判断ステップである。
【００９１】
ここで、抽出コンテンツフラグが対応付けて記録されていると判断した場合（Ｓ２０でＹＥＳ）、送信元判断部１２は、当該コンテンツの放送属性情報を記憶部３から読み出して（Ｓ２１）、送信元表示部１４に出力する。
【００９２】
次に、送信元表示部１４は、出力された放送属性情報に基づいて、送信元を示す文字列（放送関連情報）を生成する（Ｓ２２）。ここで生成する文字列は、上述のように、チャンネル番号、チャンネル名、または放送局名等を示す文字列である。
【００９３】
そして、送信元表示部１４は、生成した上記文字列を含む送信元提示画像を生成し、表示制御部１５に指示して、この送信元提示画像を表示部７に表示させる（Ｓ２３、送信元表示ステップ）。これにより図２（ｂ）に示すような表示が行われて、送信元表示処理は終了する。
【００９４】
一方、抽出コンテンツフラグが対応付けて記録されていないと判断した場合（Ｓ２０で
ＮＯ）、送信元判断部１２は、当該コンテンツのＵＲＬを記憶部３から読み出して（Ｓ２４）、送信元表示部１４に出力する。
【００９５】
この場合、送信元表示部１４は、出力されたＵＲＬを含む送信元提示画像を生成し、表示制御部１５に指示して、この送信元提示画像を表示部７に表示させる（Ｓ２５、送信元表示ステップ）。これにより図２（ａ）に示すような表示が行われて、送信元表示処理は終了する。
【００９６】
《実施の形態２》
上記実施形態の表示装置１は、ＷＥＢコンテンツの受信機能と、放送の受信機能とを有しており、ＷＥＢコンテンツと抽出コンテンツの両方を取得可能な構成である。しかしながら、本願発明の主な特徴は、表示中のコンテンツに応じた送信元提示画像の表示にあるから、コンテンツの取得経路は特に限定されない。
【００９７】
本実施形態では、ＷＥＢコンテンツの受信機能と、放送の受信機能とを別個の装置に搭載した表示システムによって、表示中のコンテンツに応じた送信元提示画像の表示を実現した例を、図５に基づいて説明する。
【００９８】
〈システム構成〉
図５は、本実施形態にかかる表示システム４０を構成する放送受信装置（他の通信装置）２０および表示端末（表示制御装置）３０の要部構成の一例を示すブロック図である。なお、上記実施形態と同様の構成については、同一の参照番号を付し、その説明を省略する。
【００９９】
表示システム４０では、放送受信装置２０が放送を受信して、この放送に含まれるコンテンツを抽出し、抽出したコンテンツ（抽出コンテンツ）を表示端末３０に送信する。一方の表示端末３０は、放送受信装置２０から受信した抽出コンテンツを表示することができると共に、サーバ１００からＷＥＢコンテンツを受信して表示することができる。そして、表示端末３０は、表示中のコンテンツに応じた送信元提示画像を表示する。
【０１００】
つまり、表示システム４０では、放送受信装置２０が、上記実施形態の表示装置１における放送受信部５およびコンテンツ抽出部１１の機能を果たしており、表示端末３０がその余の機能を果たしている。
【０１０１】
〈放送受信装置の構成〉
放送受信装置２０は、放送ネットワークからコンテンツを取得する装置である。放送受信装置２０が受信するコンテンツは、表示装置１が受信するコンテンツと同様である。図示のように、放送受信装置２０は、受信装置制御部２１、受信装置記憶部２２、放送受信部５、および受信装置通信部２３を備えている。なお、表示部等の構成は図示を省略している。
【０１０２】
受信装置制御部２１は、放送受信装置２０の動作を統括して制御するものであり、コンテンツ抽出部１１およびコンテンツ送信部２４を含む。
【０１０３】
コンテンツ送信部２４は、コンテンツ抽出部１１が放送から抽出して受信装置記憶部２２に保存した抽出コンテンツと、その放送属性情報と、抽出コンテンツフラグとを表示端末３０に送信する。これらのデータの送信態様は特に限定されないが、例えばＲＦＣ ２６１６に基づき、ＨＴＴＰ  ＰＯＳＴメソッドを用いて送信してもよい。この場合、Ｒｅｑｕｅｓｔ−ＵＲＩを、コンテンツ用と放送属性情報用とで別々の値とし、それぞれのＲｅｑｕｅｓｔ−ＵＲＩに対して別々に送信を行ってもよい。また、単一のＲｅｑｕｅｓｔ
−ＵＲＩに対して、コンテンツおよび放送属性情報をそれぞれ別々のエンティティとして、マルチパートメッセージボディの形式で一度に送信してもよい。
【０１０４】
なお、Ｒｅｑｕｅｓｔ−ＵＲＩの値は、事前に送信先の機器（ここでは表示端末３０）から取得して保存しておけばよい。例えば、放送受信装置２０に対して、表示端末３０の情報を登録する際に、Ｒｅｑｕｅｓｔ−ＵＲＩの値を表示端末３０から放送受信装置２０に送信し、放送受信装置２０でこの値を保存しておいてもよい。また、コンテンツ送信部２４は、表示端末３０からのコンテンツ要求に応じて上記の各データを送信してもよい。
【０１０５】
受信装置記憶部２２は、放送受信装置２０が使用する各種データを格納する記憶装置であり、図示の例では、コンテンツ６０が格納されている。コンテンツ６０は、コンテンツ抽出部１１が放送から抽出した抽出コンテンツと、その放送属性情報と、抽出コンテンツフラグとを含む。
【０１０６】
受信装置通信部２３は、放送受信装置２０が他の機器と通信するためのものである。ここでは、表示端末３０へのコンテンツ６０の送信に使用するので、このような送信が可能なものであればよい。例えば、Ｗｉ−Ｆｉ（登録商標）やＢｌｕｅｔｏｏｔｈ（登録商標）等によって通信を行うものであってもよい。
【０１０７】
〈表示端末の構成〉
表示端末３０は、通信ネットワークからコンテンツを受信して表示する装置であり、放送受信装置２０から抽出コンテンツを受信して表示することもできる。表示端末３０は、例えばタブレット端末やスマートフォン等であってもよい。この場合、ユーザは、放送受信装置２０で放送番組を視聴しながら、表示端末３０でその放送の抽出コンテンツを見ることができ、利便性が高い。図示のように、表示端末３０は、端末制御部３１、端末記憶部３２、端末通信部３３、入力部６、および表示部７を備えていることが好ましい。なお、表示端末３０は、上記実施形態の表示装置１と同じく放送受信部５を有し、該放送受信部５によって放送コンテンツを受信し、表示することができるものであってもよい。
【０１０８】
端末制御部３１は、表示端末３０の動作を統括して制御するものであり、コンテンツ受信部１０、抽出コンテンツ受信部（付随コンテンツ受信手段）３４、送信元判断部１２、およびブラウザ１３を含む。また、ブラウザ１３は、送信元表示部１４および表示制御部１５を含む。
【０１０９】
抽出コンテンツ受信部３４は、放送受信装置２０が送信する抽出コンテンツと、その放送属性情報と、抽出コンテンツフラグとを受信して端末記憶部３２に保存する。
【０１１０】
端末記憶部３２は、表示端末３０が使用する各種データを格納する記憶装置であり、図示の例では、コンテンツ７０が格納されている。コンテンツ７０は、コンテンツ受信部１０がサーバ１００から受信したＷＥＢコンテンツおよびＵＲＬと、抽出コンテンツ受信部３４が放送受信装置２０から受信した抽出コンテンツ、放送属性情報、および抽出コンテンツフラグとを含む。つまり、コンテンツ７０は、上記実施形態の表示装置１のコンテンツ５０と同様のものである。
【０１１１】
端末通信部３３は、表示端末３０が他の機器と通信するためのものである。ここでは、放送受信装置２０およびサーバ１００からのコンテンツの受信に使用するので、このような通信が可能なものであればよい。なお、放送受信装置２０およびサーバ１００のそれぞれに対応する通信部を設けてもよく、この場合、放送受信装置２０とはＢｌｕｅｔｏｏｔｈ（登録商標）で通信し、サーバ１００とはＷｉ−Ｆｉ（登録商標）で通信する等のように、異なる方式で通信してもよい。
【０１１２】
入力部６は、表示端末３０に対する入力操作を受け付けて端末制御部３１に出力するものであればよく、表示部７は端末制御部３１の制御に従って画像を表示するものであればよい。なお、入力部６および表示部７を、表示部７の表示面が入力部６の入力面となるタッチパネルで構成してもよい。
【０１１３】
以上のように、端末記憶部３２には、上記実施形態の表示装置１のコンテンツ５０と同様のコンテンツ７０が格納される。したがって、表示端末３０の送信元判断部１２およびブラウザ１３は、上記実施形態と同様にして、表示中のコンテンツに応じた、図２（ａ）または（ｂ）のような送信元提示画像を表示させることができる。
【０１１４】
〈処理の流れ〉
表示システム４０で行われる処理の流れは、処理の実行主体が変わり、放送受信装置２０から表示端末３０に抽出コンテンツ等を送信する処理が追加されるだけで、上記実施形態の表示装置１が実行する処理の流れと同様である。
【０１１５】
すなわち、表示システム４０では、図３のＳ１〜Ｓ８の一連の処理は、放送受信装置２０が行う。この一連の処理で記録されたコンテンツが、その後の任意のタイミングで表示端末３０に送信される。
【０１１６】
また、Ｓ１、Ｓ２、Ｓ９〜Ｓ１１、Ｓ６〜８の一連の処理、およびＳ１、Ｓ２、Ｓ１２、Ｓ１３の一連の処理は、表示端末３０が行う。そして、図４の送信元表示処理も表示端末３０が行う。なお、放送受信装置２０も送信元表示処理を行うようにしてもよい。
【０１１７】
なお、本実施形態では、放送受信装置２０において、抽出コンテンツフラグを生成し、表示端末３０に送信する例を示したが、表示端末３０が、抽出コンテンツフラグを生成し、放送受信装置２０から受信した抽出コンテンツに対応付けて記録するようにしてもよい。
【０１１８】
《変形例》
上記では、抽出コンテンツおよびＷＥＢコンテンツを取得する表示装置１について説明し、また抽出コンテンツを取得する放送受信装置２０およびＷＥＢコンテンツを取得する表示端末３０を含む表示システム４０について説明した。
【０１１９】
しかしながら、本願発明は、自装置または他の装置に抽出コンテンツおよびＷＥＢコンテンツを表示させることのできる任意の装置に適用可能であり、これらの例に限られない。つまり、本願発明は、他の装置に表示を行わせる表示制御装置（例えば、デスクトップ型パーソナルコンピュータや、ディスプレイと放送受信装置とが別体となっているテレビジョン受像機等）にも適用可能である。
【０１２０】
また、上記実施形態の表示端末３０は、ＷＥＢコンテンツは自装置で受信し、抽出コンテンツは放送受信装置２０から取得しているが、抽出コンテンツおよびＷＥＢコンテンツの両方を外部の装置から取得する構成であってもよい。
【０１２１】
〈複数コンテンツの同時表示〉
上記各実施形態では、一画面に表示させるコンテンツがＷＥＢコンテンツおよび抽出コンテンツの何れか一方である例を示したが、これらのコンテンツを、例えばマルチウィンドウ表示等によって一画面に同時に表示してもよい。
【０１２２】
そして、この場合に、コンテンツの送信元を表示させるユーザ操作が行われたときには
、ＷＥＢコンテンツと共にＷＥＢコンテンツ用の送信元提示画像（ＵＲＬを含む）を表示し、抽出コンテンツと共に抽出コンテンツ用の送信元提示画像（放送関連情報を含む）を表示してもよい。
【０１２３】
つまり、送信元表示部１４は、送信元判断部１２が通信コンテンツと判断したコンテンツと、送信元判断部１２が抽出コンテンツと判断したコンテンツとを同時に表示させているときには、通信コンテンツと共にＵＲＬを表示し、抽出コンテンツと共に放送関連情報を表示させてもよい。
【０１２４】
〈送信元提示画像の表示タイミング〉
上記各実施形態では、送信元を表示させるユーザ操作に応じて送信元提示画像を表示させる例を説明したが、送信元提示画像の表示タイミングはこれに限られない。
【０１２５】
例えば、コンテンツの表示を開始するタイミングで表示してもよい。また、例えば、一画面に複数のコンテンツを同時に表示させることができる場合、ウィンドウが優先表示されたタイミングで表示してもよい。つまり、送信元表示部１４は、通信コンテンツが優先表示されている場合にはＵＲＬを表示させ、抽出コンテンツが優先表示されている場合には放送関連情報を表示させてもよい。
【０１２６】
なお、優先表示とは、他方のコンテンツよりもユーザの注目を惹くような表示状態や、リモコン等による入力部６からの制御の対象となっている状態であることを指し、例えば他方のコンテンツよりも大きく表示する、手前に表示する、音声出力の対象とする、優先されていることを示すマーキング（枠囲みやアイコンの付加表示等）を表示する等がこれに該当する。また、マルチウィンドウ形式で表示している場合には、ユーザの選択状態にあるウィンドウ（アクティブなウィンドウ）に表示されたコンテンツが優先表示されたコンテンツとなる。
【０１２７】
また、送信元提示画像を表示させるタイミングを、ＷＥＢコンテンツと抽出コンテンツとで変えてもよい。例えば、ＷＥＢコンテンツの場合は、ＷＥＢコンテンツの表示を開始するタイミングで表示して、抽出コンテンツの場合はユーザ操作に応じて表示させるようにしてもよい。
【０１２８】
つまり、入力部６がコンテンツを表示させるユーザ操作を受け付けたときに、送信元判断部１２が、表示対象のコンテンツがＷＥＢコンテンツであると判断した場合には、ＵＲＬを表示させ、抽出コンテンツであると判断した場合には表示させない。そして、入力部６がコンテンツの送信元を表示させるユーザ操作を受け付けたときに、送信元判断部１２が、表示対象のコンテンツが抽出コンテンツであると判断した場合には、放送関連情報を表示させる構成であってもよい。
【０１２９】
また、送信元提示画像の表示を終了するタイミングや、表示位置も特に限定されない。例えば、表示開始後一定時間で自動的に表示を終了するようにしてもよいし、表示を終了するユーザ操作が行われるまでの間、画面上の所定位置（例えば画面の端部）に常時表示させてもよい。
【０１３０】
〈録画コンテンツの表示〉
上記各実施形態では、放送中のコンテンツの送信元提示画像を表示する例を示したが、録画したコンテンツの再生時においても、送信元提示画像を表示してもよい。また、録画したコンテンツの再生を考慮する場合、抽出コンテンツの保存時に、保存日時を示す情報を記録しておき、その抽出コンテンツの保存日時を含む送信元提示画像を表示してもよい。
【０１３１】
つまり、上記の表示装置１または表示端末３０は、放送コンテンツを録画する際に、抽出コンテンツを記録すると共に、当該記録の日時を記録する記録手段を備えていてもよい。そして、送信元表示部１４は、録画された放送コンテンツの再生中に表示されたコンテンツを、送信元判断部１２が抽出コンテンツであると判断した場合に、放送関連情報と共に、記録手段が記録した日時を表示してもよい。
【０１３２】
なお、日時の表示は、録画したコンテンツの再生時のみとし、放送中のコンテンツの表示時には、日時を表示しないことが好ましい。
【０１３３】
また、近時では、ライブ配信されるＷＥＢコンテンツも存在するので、録画したライブ配信のＷＥＢコンテンツを再生する場合も、上記と同様にして、録画日時を含む送信元提示画像を表示させてもよい。
【０１３４】
〈ＷＥＢコンテンツと抽出コンテンツの識別〉
上記各実施形態では、抽出コンテンツフラグを識別情報として、表示中のコンテンツがＷＥＢコンテンツであるか抽出コンテンツであるかを判断する例を示したが、識別情報はこの例に限られない。
【０１３５】
例えば、ＷＥＢコンテンツと共に、該コンテンツがＷＥＢコンテンツであることを示すフラグを上記識別情報として記録しておき、このフラグに基づいて上記の判断を行ってもよい。
【０１３６】
また、例えば、ＷＥＢコンテンツと抽出コンテンツのファイル形式が異なっている場合（ＢＭＬとＨＴＭＬ等）、ファイル形式を識別情報として参照し、上記の判断を行ってもよい。
【０１３７】
この他にも、放送属性情報が対応付けて保存されているコンテンツを抽出コンテンツであると判断してもよいし、抽出コンテンツについてもＵＲＬを記憶部３に保存し、ＵＲＬのスキーム部が特定の文字列であるコンテンツを抽出コンテンツであると判断してもよい。あるいは、ＵＲＬが対応付けて保存されているコンテンツをＷＥＢコンテンツであると判断してもよい。この場合、識別情報は、放送属性情報またはＵＲＬとなる。
【０１３８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３９】
〈プログラムによる構成例〉
最後に、表示装置１および表示端末３０の各ブロック、具体的には制御部２および端末制御部３１のブラウザ１３以外の構成については、集積回路（ＩＣチップ）上に形成された論理回路によってハードウェア的に実現してもよいし、ＣＰＵ（Central Processing Unit）を用いてソフトウェア的に実現してもよい。
【０１４０】
後者の場合、表示装置１および表示端末３０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示装置１および表示端末３０の制御プログラムのプログラムコード（実行形式プログラム、中間コードプログラム、ソースプログラム）をコンピュータで読み取り可能に記録した記録媒体を、表示装置１および表示端末３０に
供給し、そのコンピュータ（またはＣＰＵやＭＰＵ）が記録媒体に記録されているプログラムコードを読み出し実行することによっても、達成可能である。
【０１４１】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１４２】
また、表示装置１および表示端末３０は、通信ネットワークと接続可能であるから、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。この他、上記プログラムコードを放送ネットワークを介して供給してもよい。なお、本発明は、上記プログラムコードが電子的な伝送で具現化された、搬送波に埋め込まれたコンピュータデータ信号の形態でも実現され得る。
【産業上の利用可能性】
【０１４３】
本発明は、例えばテレビジョン受像機やパーソナルコンピュータ、スマートフォン、タブレット端末等のコンテンツを表示する装置に利用することができる。
【符号の説明】
【０１４４】
１  表示装置（表示制御装置）
６  入力部
１２  送信元判断部（判断手段）
１４  送信元表示部（送信元表示手段）
５０  コンテンツ（通信コンテンツ、付随コンテンツ）
２０  放送受信装置（他の通信装置）
３０  表示端末（表示制御装置）
３４  抽出コンテンツ受信部（付随コンテンツ受信手段）
【図１】
2013207405.tif 000003
【図２】
2013207405.tif 000004
【図３】
2013207405.tif 000005
【図４】
2013207405.tif 000006
【図５】
2013207405.tif 000007